(57)【要約】【課題】手が届かない部分にある患部に対し、自分自身で薬剤を塗布することができると共に、使用する薬剤の形状に左右されず薬剤を固定することができる薬剤塗布具を提供する。【解決手段】患部に薬剤を塗布するための薬剤塗布具１であって、柄２の先端に、該柄２の長手方向に対して交差する向きに中空部８が形成された筒状部材によって形成された薬剤固定手段が設けられていることを特徴とする。そして、この薬剤塗布具１によって手の届かない患部に薬剤を確実に塗布することができる。【選択図】図２
2008000258.tif 000002
【特許請求の範囲】
【請求項１】
患部に薬剤を塗布するための薬剤塗布具であって、
柄の先端に、前記薬剤を保持する薬剤保持体を固定する固定手段が設けられていることを特徴とする薬剤塗布具。
【請求項２】
前記固定手段は、前記柄の長手方向に対して交差する向きに中空部が形成された筒状部材を備えており、該中空部に前記薬剤保持体が収容されるようになっている請求項１に記載の薬剤塗布具。
【請求項３】
前記固定手段は、一対の挟持片の各一端が互いに当接する方向に付勢されて形成されており、前記一対の挟持片の各一端に前記薬剤保持体が挟持されるようになっている請求項１に記載の薬剤塗布具。
【請求項４】
前記固定手段は、前記柄の長手方向に対して交差する向きに突出して形成された受け部材と、該受け部材に対して前記柄の長手方向に沿って近接離間可能に設けられた弾性部材とを備えており、前記受け部材と前記弾性部材との間に前記薬剤保持体が介装されるようになっている請求項１に記載の薬剤塗布具。
【発明の詳細な説明】
【技術分野】
【０００１】
本発明は、手の届かない患部に薬剤を塗布する薬剤塗布具に関する。
【背景技術】
【０００２】
従来、背中等の手の届かない患部に薬剤を塗布する場合には、衣服等を持ち上げ、或いは脱いだりして、第三者に依頼しなければならず、このようなことは、身近に親しい人や家族のいない人にとっては特に不敏に感じることが多い。そのため、薬剤を塗布してもらうためだけに通院するといったこともしばしばある（公知・公用の従来技術に基づき発明したため、出願人は本発明に関連する先行技術文献を知らない）。
【発明の開示】
【発明が解決しようとする課題】
【０００３】
しかしながら、上記したように、身近に親しい人や家族がいたとしても、例えば肩こりのように、体の内部に患部を有しているような場合においては、その部位を第三者に正確に伝えることは困難であった。また、第三者に薬剤の塗布を依頼することは、患部の位置等を正確に説明しなければならず、この説明自体が煩わしいといった問題があった。
【０００４】
また、薬剤を塗布してもらうためだけに通院したりすることは、時間と労力を費やしてしまうといった問題もあった。
【０００５】
本発明は、上記した課題を解決すべくなされたものであり、手が届かない部分にある患部に対し、自分自身で薬剤を塗布することができる、薬剤塗布具を提供しようとするものである。
【課題を解決するための手段】
【０００６】
上記した目的を達成するため、本発明は、患部に薬剤を塗布するための薬剤塗布具であって、柄の先端に、前記薬剤を保持する薬剤保持体を固定する固定手段が設けられていることを特徴とする。
【０００７】
また、前記固定手段は、前記柄の長手方向に対して交差する向きに中空部が形成された筒状部材を備えており、該中空部に前記薬剤保持体が収容されるようになっていてもよい。
【０００８】
さらに、前記固定手段は、一対の挟持片の各一端が互いに当接する方向に付勢されて形成されており、前記一対の挟持片の各一端に前記薬剤保持体が挟持されるようになっていてもよい。
【０００９】
さらにまた、前記固定手段は、前記柄の長手方向に対して交差する向きに突出して形成された受け部材と、該受け部材に対して前記柄の長手方向に沿って近接離間可能に設けられた弾性部材とを備えており、前記受け部材と前記弾性部材との間に前記薬剤保持体が介装されるようになっていてもよい。
【発明の効果】
【００１０】
本発明によれば、柄の先端には、薬剤保持体を固定する固定手段が設けられているため、使用者の所望する薬剤を、自分自身の手によって、正確に且つ確実に患部に塗布することができる。
【００１１】
また、固定手段が、薬剤保持体を挟持片により挟持したり又は、受け部材と弾性部材の間に介装したりするように形成されている場合には、各種形状の薬剤保持体を固定することができるため、使用者は、薬剤保持体の形状にとらわれることなく薬剤を塗布することができる。
【発明を実施するための最良の形態】
【００１２】
以下、図１〜図３を参照しつつ本発明の第一の実施の形態に係る薬剤塗布具について説明する。ここで図１は本発明の第一の実施の形態に係る薬剤塗布具を示す斜視図、図２は同薬剤塗布具においてキャップを外した薬剤塗布具の状態を示す斜視図、図３は同薬剤塗布具において薬剤固定部に薬剤保持体が挿入された状態を示す断面図である。
【００１３】
本実施の形態に係る薬剤塗布具１は、棒状の柄部２と柄部２の先端に設けられた頭部３とによって構成されており、頭部３は円板状に形成されている。
【００１４】
柄部２は、例えば合成樹脂製であり、後端部には他の部分より太径の握り部４が形成されている。
【００１５】
頭部３には、薬剤固定部５と、薬剤固定部５に着脱可能な薬剤保持体７と、薬剤保持体７を覆うように薬剤固定部５に嵌着されるキャプ６によって構成されている。
【００１６】
薬剤固定部５は、円筒形状の筒状部材から成り、柄部２の長手方向に対して交差する向きに中空部８が形成されている。
【００１７】
薬剤保持体７は、例えば、スポンジ等の吸水性及び弾性を有する円柱形状部材から成り、薬剤固定部５の内面９と密着するように、薬剤保持体７の外径が、薬剤固定部５の内径より僅かに大きくなるように形成されている。また、薬剤保持体７の高さは、上端部１２が、薬剤固定部５の上端部１０より上方に突出するように形成されている。そして、薬剤保持体７は、その外面１１が薬剤固定部５の内面９に接触することによって生ずる摩擦力によって薬剤固定部５に固定されているようになっている。
【００１８】
このような構成を備えた薬剤塗布具１において、キャップ６を外し、薬剤が薬剤保持体７の上端部１２に塗布された薬剤保持体７を中空部８に挿入すると、薬剤保持体７の外面１１と薬剤固定部５の内面９とが密着し、薬剤保持体７は薬剤固定部５に固定される。この状態で握り部４を持ち、薬剤保持体７の端部１２を患部に当て、薬剤を塗布する。そして、患部への薬剤塗布の完了後、薬剤保持体７を薬剤固定部５の中空部８から外し、破棄するか、或いは、洗浄し再利用する。
【００１９】
このように、上記した薬剤塗付具１によれば、柄の先端には、薬剤保持体を固定する薬剤固定部５が設けられているため、使用者は、薬剤固定部５に所望する薬剤が塗布された薬剤保持体７を固定することによって、自分自身の手の届かない患部に薬剤を塗布することができる。
【００２０】
また、薬剤固定部５にキャップ６を被せることによって、肩たたき器具やマッサージ器具としても使用することができる。
【００２１】
なお、上記実施の形態において、薬剤保持体７の材質はスポンジとしたが、スポンジに限定されることはなく、スポンジ以外の布、或いはゴムとしてもよい。
【００２２】
次に、図４及び図５を参照しつつ本発明の第二の実施の形態に係る薬剤塗布具について説明する。ここで、図４は本発明の第二の実施の形態に係る薬剤塗布具を示す側面図、図５は同薬剤固定部において薬剤保持体が挟持された状態を示す側面図である。なお、以下の説明では、説明の簡略化のため、上記した第一の実施の形態と同等の構成については、図４及び図５中、図１〜図３と同一の符号を付し、詳細な説明を省略する。
【００２３】
本実施の形態において、薬剤固定部２２は、洗濯挟み状を成しており、頭部３を略直角に屈曲して形成された一方の挟持片２３と、一方の挟持片２３と一対を成すように対向して設けられた他方の挟持片２４と、一方の挟持片２３と他方の挟持片２４とを接続するバネ部材２５とから構成されている。
【００２４】
各挟持片２３，２４の間には、幅方向に空洞部２６が形成されており、各挟持片２３，２４は、空洞部２６の先端側部分２７及び基端側部分２８においてそれぞれ互いに当接するように形成されている。
【００２５】
バネ部材２５は、板状部材を屈曲することにより形成され、一方の挟持片２３に係止する第１係止部２９と、他方の挟持片２４に係止する第２係止部３０と、第１係止部２９と第２係止部３０との間において波形に曲成されたバネ部３１とから構成されている。これにより、一対の挟持片２３，２４の先端側部分３２は、互いに当接する方向に付勢され、薬剤保持部材３３を挟持可能に設けられることになる。
【００２６】
このような構成を備えた薬剤塗布具２１において、他方の挟持片２４の基端側部分２８よりさらに基端側の押圧部３４を一方の挟持片２３に近接する方向に押圧すると、他方の挟持片２４がバネ部材２５のバネ部３１の付勢力に抗して基端側部分２８を支点に回転することにより、先端側部分２７は離間する。そこで、この離間した先端側部分２７の隙間に薬剤保持体３３を介装した後、押圧部３４に対する押圧動作を止めると、挟持片２３，２４の先端側部分３２はバネ部材２５の付勢力に従って薬剤保持体３３を挟持し、薬剤固定部２２に固定する。
【００２７】
このように、上記した薬剤塗付具２１によれば、ガーゼや脱脂綿等、不定形の薬剤保持体であっても挟持することができるため、使用者は、薬剤保持体の形状にとらわれることなく薬剤を、手の届かない患部に塗布することができる。
【００２８】
次に、図６を参照しつつ、本発明の第三の実施の形態に係る薬剤塗布具ついて説明する。ここで、図６は本発明の第三の実施の形態に係る薬剤塗布具を示す斜視図である。なお、以下の説明では、説明の簡略化のため、上記した第一の実施の形態と同等の構成については、図６中、図１〜図３と同一の符号を付し、詳細な説明を省略する。
【００２９】
本実施の形態の場合、薬剤固定部４２は、柄部２の先端において柄部２の長手方向に交差する向きに突設された受け部材４３と、この受け部材４３に対して柄部２の長手方向に沿って近接離間可能に設けられた弾性部材４４とを備え、受け部材４３と弾性部材４４との間に薬剤保持体４５が介装されるように形成されている。
【００３０】
受け部材４３は、頭部３の外形に沿って円弧状に湾曲して形成された帯状部材４６を備えている。この帯状部材４６の一方の端部４７の外面には、係止部４８が外方に突出して形成されており、係止部４８の先端には太径のストッパ部４９が形成されている。
【００３１】
弾性部材４４は、例えば、ゴム製等の伸縮自在の帯状部材から成り、一方の端部５０は受け部材４３の他方の端部５１に固定されている。また、弾性部材４４の他方の端部５２には、複数（図６では３箇所）の丸孔５３が設けられており、この丸孔５３に係止部４８が貫入可能となっている。
【００３２】
このような構成を備えた薬剤塗布具４１において、受け部材４３と弾性部材４４の間において頭部３上に薬剤保持体４５を載置し、弾性部材４４の丸孔５３に係止部４８を貫入し、薬剤保持体４５を受け部材４３と弾性部材４４の間に介装する。この時、係止部４８が貫入する丸孔５３の位置は、薬剤保持体４５の外形によって、適宜選択することができるため、薬剤保持体４５は、その形状に拘らず、薬剤固定部４２に確実に固定される。
【００３３】
このように、上記した薬剤塗付具４１によれば、薬剤保持体４５の形状や外形サイズに応じて、薬剤保持体を確実且つ容易に薬剤固定部４２に固定することができる。そして、使用者は、薬剤固定部４２に所望する形状の薬剤保持体４５を固定することによって、自分自身の手の届かない患部に薬剤を塗布することができる。
【００３４】
なお、弾性部材４４と受け部材４３との接続方法は、上記した実施の形態による方法に限定されるものではなく、例えば、受け部材４３の端部４７にベルト金具を設け、該ベルト金具に弾性部材４４の端部を接続したり、或いは、受け部材４３と弾性部材４４の各端部にそれぞれマジックテープ（登録商標）を取り付けたりする等、各種変更が可能である。さらに、弾性部材４４は、その両端部を受け部材４３の両端部にそれぞれ固定してもよい。
【図面の簡単な説明】
【００３５】
【図１】本発明の第一の実施の形態に係る薬剤塗布具を示す斜視図である。
【図２】本発明の第一の実施の形態に係る薬剤塗布具においてキャップを外した薬剤塗布具の状態を示す斜視図である。
【図３】本発明の第一の実施の形態に係る薬剤塗布具において薬剤固定部に薬剤保持体が挿入された状態を示す断面図である。
【図４】本発明の第二の実施の形態に係る薬剤塗布具を示す側面図である。
【図５】本発明の第二の実施の形態に係る薬剤塗付具において薬剤保持体が挟持された状態を示す側面図である。
【図６】本発明の第三の実施の形態に係る薬剤塗布具を示す斜視図である。
【符号の説明】
【００３６】
１    薬剤塗付具
２    柄部
５    薬剤固定部
７    薬剤保持体
８    中空部
２１  薬剤塗布具
２２  薬剤固定部
２３  挟持片
２４  挟持片
３２  先端側部分
３３  薬剤保持体
４１  薬剤塗布具
４２  薬剤固定部
４３  受け部材
４４  弾性部材
４５  薬剤保持体
【図１】
2008000258.tif 000003
【図２】
2008000258.tif 000004
【図３】
2008000258.tif 000005
【図４】
2008000258.tif 000006
【図５】
2008000258.tif 000007
【図６】
2008000258.tif 000008